(57)【要約】      （修正有）【課題】  学校は独自の願書フォーマットを作ることができ、事務処理の負担を軽減するとともに、複数の学校に願書を提出する出願人はデータ入力の手間を省力化することができるシステムを提案する。【解決手段】  個人情報テーブル中の願書に必要なデータ項目を願書上における位置および表示形式と対応付ける入出力データテーブルと、願書上における必要となるその他の定形表示内容とをレイアウト情報として学校から受け付ける学校情報入力部と、受け付けた学校毎のレイアウト情報を格納する願書情報格納部と、格納されている願書情報を出願人に選択させて閲覧させ、願書中に配置されたデータ項目中に必要となる出願情報の入力を出願人から受け付けるとともに、受け付けた出願情報を個人情報データベース中に格納する出願情報受付部と、受け付けた出願情報を格納する出願情報格納部と、受け付けた出願情報を該当する学校に通知する出願情報通知部とを備える。【選択図】      図２
2005189924.tif 000002
【特許請求の範囲】
【請求項１】
学校の入試情報を任意の出願人にネットワーク上で閲覧させ、出願人が入力する個人情報を個人情報テーブルの各データ項目に対応させた個人情報データベースとして格納するとともに出願人からの出願支持を受け付けてその願書に必要なデータ項目に対応する出願データを該当する学校に通知するオンライン出願システムであって、
前記個人情報テーブル中の願書に必要なデータ項目を願書上における表示位置および表示形式と対応付ける入出力データテーブルと、願書上における必要となるその他の定形表示内容とをレイアウト情報として学校から受け付ける学校情報入力部と、
前記学校情報入力部で受け付けた学校毎のレイアウト情報を格納する願書情報格納部と、
前記願書情報格納部に格納されている願書情報を出願人に選択させて閲覧させ、願書中に配置されたデータ項目中に必要となる出願情報の入力を出願人から受け付けるとともに、受け付けた出願情報を前記個人情報データベース中の該当するデータ項目に格納する出願情報受付部と、
前記出願情報受付部で受け付けた出願情報を格納する出願情報格納部と、
前記出願情報受付部で受け付けた出願情報を該当する学校に通知する出願情報通知部と、
を備えるオンライン出願システム。
【請求項２】
前記学校情報入力部は、学校の入試情報の入力を受け付け、前記願書情報とともに前記願書情報格納部に格納させる、請求項１に記載のオンライン出願システム。
【請求項３】
前記出願情報受付部は、個人情報データベース中に該当する出願人のデータ項目が存在する場合、出願人が選択した願書中のデータ項目に前記個人情報データベース中のデータをコピーして表示する、請求項１または２に記載のオンライン出願システム。
【請求項４】
前記出願情報受付部は、受験料の決済方法に関する決済種別情報を受け付け、願書情報とともに決済種別情報を願書情報格納部に格納する、請求項１〜３のいずれかに記載のオンライン出願システム。
【請求項５】
出願人による受験料の決済があった場合に、決済完了情報を受け付けてこの決済完了情報を前記出願情報格納部に反映させる決済処理部をさらに含む、請求項１〜４のいずれかに記載のオンライン出願システム。
【請求項６】
学校の入試情報を任意の出願人にネットワーク上で閲覧させ、出願人が入力する個人情報を個人情報テーブルの各データ項目に対応させた個人情報データベースとして格納するとともに出願人からの出願支持を受け付けてその願書に必要なデータ項目に対応する出願データを該当する学校に通知するオンライン出願受付方法であって、
前記個人情報テーブル中の願書に必要なデータ項目を願書上における表示位置および表示形式と対応付ける入出力データテーブルと、願書上における必要となるその他の定形表示内容とをレイアウト情報として学校から受け付ける段階と、
受け付けた学校毎のレイアウト情報を願書情報格納部に格納する段階と、
前記願書情報格納部に格納されている願書情報を出願人に選択させて閲覧させ、願書中に配置されたデータ項目中に必要となる出願情報の入力を出願人から受け付けるとともに、受け付けた出願情報を前記個人情報データベース中の該当するデータ項目に格納する段階と、
出願人から受け付けた出願情報を出願情報格納部に格納する段階と、
出願人から受け付けた出願情報を該当する学校に通知する段階と、
を含むオンライン出願受付方法。
【請求項７】
学校の入試情報の入力を受け付けて、前記願書情報とともに前記願書情報格納部に格納する段階をさらに含む、請求項６に記載のオンライン出願受付方法。
【請求項８】
個人情報データベース中に該当する出願人のデータ項目が存在する場合、出願人からの出願情報を受け付ける際に、出願人が選択した願書中のデータ項目に前記個人情報データベース中のデータをコピーして表示する、請求項６または７に記載のオンライン出願受付方法。
【請求項９】
受験料の決済方法に関する決済種別情報を受け付け、願書情報とともに決済種別情報を願書情報格納部に格納する段階をさらに含む、請求項６〜８のいずれかに記載のオンライン出願受付方法。
【請求項１０】
出願人による受験料の決済があった場合に、決済完了情報を受け付けてこの決済完了情報を前記出願情報格納部に反映させる段階をさらに含む、請求項６〜９のいずれかに記載のオンライン出願受付方法。
【請求項１１】
学校の入試情報を任意の出願人にネットワーク上で閲覧させ、出願人が入力する個人情報を個人情報テーブルの各データ項目に対応させた個人情報データベースとして格納するとともに出願人からの出願支持を受け付けてその願書に必要なデータ項目に対応する出願データを該当する学校に通知するオンライン出願システムのプログラムであって、
前記個人情報テーブル中の願書に必要なデータ項目を願書上における表示位置および表示形式と対応付ける入出力データテーブルと、願書上における必要となるその他の定形表示内容とをレイアウト情報として学校から受け付ける学校情報入力部と、
前記学校情報入力部で受け付けた学校毎のレイアウト情報を格納する願書情報格納部と、
前記願書情報格納部に格納されている願書情報を出願人に選択させて閲覧させ、願書中に配置されたデータ項目中に必要となる出願情報の入力を出願人から受け付けるとともに、受け付けた出願情報を前記個人情報データベース中の該当するデータ項目に格納する出願情報受付部と、
前記出願情報受付部で受け付けた出願情報を格納する出願情報格納部と、
前記出願情報受付部で受け付けた出願情報を該当する学校に通知する出願情報通知部と、
を備えるオンライン出願システムとしてコンピュータを機能させるためのプログラム。
【請求項１２】
学校の入試情報を任意の出願人にネットワーク上で閲覧させ、出願人が入力する個人情報を個人情報テーブルの各データ項目に対応させた個人情報データベースとして格納するとともに出願人からの出願支持を受け付けてその願書に必要なデータ項目に対応する出願データを該当する学校に通知するオンライン出願受付方法にプログラムであって、
前記個人情報テーブル中の願書に必要なデータ項目を願書上における表示位置および表示形式と対応付ける入出力データテーブルと、願書上における必要となるその他の定形表示内容とをレイアウト情報として学校から受け付けるステップと、
受け付けた学校毎のレイアウト情報を願書情報格納部に格納するステップと、
前記願書情報格納部に格納されている願書情報を出願人に選択させて閲覧させ、願書中に配置されたデータ項目中に必要となる出願情報の入力を出願人から受け付けるとともに、受け付けた出願情報を前記個人情報データベース中の該当するデータ項目に格納するステップと、
出願人から受け付けた出願情報を出願情報格納部に格納するステップと、
出願人から受け付けた出願情報を該当する学校に通知するステップと、
を含むオンライン出願受付方法をコンピュータに実行させるためのプログラム。
【発明の詳細な説明】
【技術分野】
【０００１】
本発明は、オンライン出願システムに関し、特に、学校の入試情報を任意の出願人にネットワーク上で閲覧させ、出願人が入力する個人情報を個人情報テーブルの各データ項目に対応させた個人情報データベースとして格納するとともに出願人からの出願支持を受け付けてその願書に必要なデータ項目に対応する出願データを該当する学校に通知するオンライン出願システムに関する。
【背景技術】
【０００２】
大学や各種学校を受験するためには、希望する学校から入試情報が記載された募集要項とこれに添付された願書を取り寄せたり、書店などで願書を購入して、必要事項を記入して郵送して出願手続きを行っている。
【０００３】
学校側では、出願人から郵送されてきた願書を受け付けて、願書に記載されているデータを分類して管理し、受験料の入金があった出願人に対して受験票を発行して送付している。
【０００４】
このような出願手続きを行うことは、受験者によっては、願書を購入する手間が必要であり、出願手続きが煩雑であるという問題点を内包している。特に、複数の学校を受験するような場合、限られた受付期間中に何通もの願書を購入して、これらに必要事項を記入するという煩雑な作業が必要となり、出願人の負担が大きくなるという問題がある。
【０００５】
また、学校側にとっては、多数の出願人から郵送されてくる願書を受け付けてデータの登録処理を行い、受験料の入金があった場合に決済情報をデータに反映させて消し込みを行うデータ管理が必要となる。このような学校側におけるデータ管理は、入力ミスや期限管理などのミスが許されないため、作業者の負担が大きく、データ管理のメンテナンスコストも大きいという問題がある。
【０００６】
このような問題点に鑑みて、ネットワークを通じて出願人からの出願情報をオンラインで受け付け、出願人から決済が完了した時点で学校側に出願情報を通知するようにしたシステムが提案されている（たとえば、特許文献１）。
【０００７】
特許文献１では、予め募集要項などの入試情報を用意しておき、これら入試情報をネットワーク上で出願人に対して閲覧可能にし、出願人による出願指示があった場合に出願人により入力された出願情報をデータベースに登録し、決済が完了した出願情報を周期的に学校側に通知するように構成した出願管理方法が記載されています。
【特許文献１】特開2003-108703号公報
【発明の開示】
【発明が解決しようとする課題】
【０００８】
特許文献１に記載されているようなシステムにおいて利用される願書は、各学校に共通の単一のフォーマットが用意されているだけであり、各学校独自の願書書式に近い表示ができないという問題がある。各学校では、依然として書面による出願の受付も行っており、オンライン出願の際に用いられる願書についても、書面による願書とほぼ同一のデータ構成をとることが好ましい。
【０００９】
しかしながら、特許文献１のようなシステムでは、願書のレイアウトやデータ項目名、データの表示形式などが、共通のフォーマットで規定されてしまうため、出願人により入力された出願データを独自のデータ形式に変換する必要があり、事務処理が煩雑になるという問題がある。
【００１０】
本発明では、学校毎に独自の願書フォーマットを作ることができ、学校側の事務処理の負担を軽減するとともに、複数の学校に願書を提出する出願人に対してはデータ入力の手間を省力化することが可能なオンライン出願システムを提案する。
【課題を解決するための手段】
【００１１】
本発明の請求項１に係るオンライン出願システムは、学校の入試情報を任意の出願人にネットワーク上で閲覧させ、出願人が入力する個人情報を個人情報テーブルの各データ項目に対応させた個人情報データベースとして格納するとともに出願人からの出願支持を受け付けてその願書に必要なデータ項目に対応する出願データを該当する学校に通知するオンライン出願システムであって、個人情報テーブル中の願書に必要なデータ項目を願書上における表示位置および表示形式と対応付ける入出力データテーブルと、願書上における必要となるその他の定形表示内容とをレイアウト情報として学校から受け付ける学校情報入力部と、学校情報入力部で受け付けた学校毎のレイアウト情報を格納する願書情報格納部と、願書情報格納部に格納されている願書情報を出願人に選択させて閲覧させ、願書中に配置されたデータ項目中に必要となる出願情報の入力を出願人から受け付けるとともに、受け付けた出願情報を個人情報データベース中の該当するデータ項目に格納する出願情報受付部と、出願情報受付部で受け付けた出願情報を格納する出願情報格納部と、出願情報受付部で受け付けた出願情報を該当する学校に通知する出願情報通知部とを備える。
【００１２】
このような構成とすることにより、学校毎に独自の願書フォーマットを作成できるようにし、たとえば、書面による願書とほぼ同一の構成でなる願書をオンライン出願システムで実現することができる。
【００１３】
本発明の請求項２に係るオンライン出願システムは請求項１に記載のオンライン出願システムであって、学校情報入力部は、学校の入試情報の入力を受け付け、願書情報とともに願書情報格納部に格納させることを特徴としている。
【００１４】
この場合、オンラインで出願を希望する出願人に対して、募集要項などを含む入試情報を閲覧させることができる。
【００１５】
本発明の請求項３に係るオンライン出願システムは請求項１または２に記載のオンライン出願システムであって、出願情報受付部は、個人情報データベース中に該当する出願人のデータ項目が存在する場合、出願人が選択した願書中のデータ項目に個人情報データベース中のデータをコピーして表示することを特徴とする。
【００１６】
この場合、各願書において共通するデータ項目に対する入力を１回で済ませることができ、また会員登録時などにおいて基本的な個人情報の入力が既に終わっているようなデータ項目についてはその都度入力することを省くことが可能になるため、複数の学校に対して願書を提出する出願人の作業を省力化することができる。
【００１７】
本発明の請求項４に係るオンライン出願システムは請求項１〜３のいずれかに記載のオンライン出願システムであって、出願情報受付部は、受験料の決済方法に関する決済種別情報を受け付け、願書情報とともに決済種別情報を願書情報格納部に格納することを特徴とする。
【００１８】
この場合、出願人がオンライン決済をはじめとする各種決済方法を選択することができる。
【００１９】
本発明の請求項５に係るオンライン出願システムは、請求項１〜４のいずれかに記載のオンライン出願システムであって、出願人による受験料の決済があった場合に、決済完了情報を受け付けてこの決済完了情報を出願情報格納部に反映させる決済処理部をさらに含むことを特徴とする。
【００２０】
この場合、出願情報の管理における決済処理を学校側に代わって処理するように構成でき、学校側の事務処理の負担を軽減することが可能であり、出願人にとってもオンライン決済などにより決済処理が簡単になるというメリットがある。
【００２１】
本発明の請求項６に係るオンライン出願受付方法は、学校の入試情報を任意の出願人にネットワーク上で閲覧させ、出願人が入力する個人情報を個人情報テーブルの各データ項目に対応させた個人情報データベースとして格納するとともに出願人からの出願支持を受け付けてその願書に必要なデータ項目に対応する出願データを該当する学校に通知するオンライン出願受付方法であって、個人情報テーブル中の願書に必要なデータ項目を願書上における表示位置および表示形式と対応付ける入出力データテーブルと、願書上における必要となるその他の定形表示内容とをレイアウト情報として学校から受け付ける段階と、受け付けた学校毎のレイアウト情報を願書情報格納部に格納する段階と、願書情報格納部に格納されている願書情報を出願人に選択させて閲覧させ、願書中に配置されたデータ項目中に必要となる出願情報の入力を出願人から受け付けるとともに、受け付けた出願情報を個人情報データベース中の該当するデータ項目に格納する段階と、出願人から受け付けた出願情報を出願情報格納部に格納する段階と、出願人から受け付けた出願情報を該当する学校に通知する段階とを含む。
【００２２】
このような構成とすることにより、学校毎に独自の願書フォーマットを作成できるようにし、たとえば、書面による願書とほぼ同一の構成でなる願書をオンライン出願システムで実現することができる。
【００２３】
本発明の請求項７に係るオンライン出願受付方法は、請求項６に記載のオンライン出願受付方法であって、学校の入試情報の入力を受け付けて、前記願書情報とともに前記願書情報格納部に格納する段階をさらに含むことを特徴とする。
【００２４】
この場合、オンラインで出願を希望する出願人に対して、募集要項などを含む入試情報を閲覧させることができる。
【００２５】
本発明の請求項８に係るオンライン出願受付方法は、請求項６または７に記載のオンライン出願受付方法であって、個人情報データベース中に該当する出願人のデータ項目が存在する場合、出願人からの出願情報を受け付ける際に、出願人が選択した願書中のデータ項目に個人情報データベース中のデータをコピーして表示することを特徴とする。
【００２６】
この場合、各願書において共通するデータ項目に対する入力を１回で済ませることができ、また会員登録時などにおいて基本的な個人情報の入力が既に終わっているようなデータ項目についてはその都度入力することを省くことが可能になるため、複数の学校に対して願書を提出する出願人の作業を省力化することができる。
【００２７】
本発明の請求項９に係るオンライン出願受付方法は、請求項６〜８のいずれかに記載のオンライン出願受付方法であって、受験料の決済方法に関する決済種別情報を受け付け、願書情報とともに決済種別情報を願書情報格納部に格納する段階をさらに含むことを特徴とする。
【００２８】
この場合、出願人がオンライン決済をはじめとする各種決済方法を選択することができる。
【００２９】
本発明の請求項10に係るオンライン出願受付方法は、請求項６〜９のいずれかに記載のオンライン出願受付方法であって、出願人による受験料の決済があった場合に、決済完了情報を受け付けてこの決済完了情報を出願情報格納部に反映させる段階をさらに含むことを特徴とする。
【００３０】
この場合、出願情報の管理における決済処理を学校側に代わって処理するように構成でき、学校側の事務処理の負担を軽減することが可能であり、出願人にとってもオンライン決済などにより決済処理が簡単になるというメリットがある。
【００３１】
本発明の請求項11に係るプログラムは、学校の入試情報を任意の出願人にネットワーク上で閲覧させ、出願人が入力する個人情報を個人情報テーブルの各データ項目に対応させた個人情報データベースとして格納するとともに出願人からの出願支持を受け付けてその願書に必要なデータ項目に対応する出願データを該当する学校に通知するオンライン出願システムのプログラムであって、個人情報テーブル中の願書に必要なデータ項目を願書上における表示位置および表示形式と対応付ける入出力データテーブルと、願書上における必要となるその他の定形表示内容とをレイアウト情報として学校から受け付ける学校情報入力部と、学校情報入力部で受け付けた学校毎のレイアウト情報を格納する願書情報格納部と、願書情報格納部に格納されている願書情報を出願人に選択させて閲覧させ、願書中に配置されたデータ項目中に必要となる出願情報の入力を出願人から受け付けるとともに、受け付けた出願情報を個人情報データベース中の該当するデータ項目に格納する出願情報受付部と、出願情報受付部で受け付けた出願情報を格納する出願情報格納部と、出願情報受付部で受け付けた出願情報を該当する学校に通知する出願情報通知部とを備えるオンライン出願システムとしてコンピュータを機能させるためのプログラムである。
【００３２】
この場合、学校毎に独自の願書フォーマットを作成できるようにし、たとえば、書面による願書とほぼ同一の構成でなる願書をオンライン出願システムで実現することができ、一般的なコンピュータを用いてこのようなシステムを構築することが可能となる。
【００３３】
本発明の請求項12に係るプログラムは、学校の入試情報を任意の出願人にネットワーク上で閲覧させ、出願人が入力する個人情報を個人情報テーブルの各データ項目に対応させた個人情報データベースとして格納するとともに出願人からの出願支持を受け付けてその願書に必要なデータ項目に対応する出願データを該当する学校に通知するオンライン出願受付方法にプログラムであって、個人情報テーブル中の願書に必要なデータ項目を願書上における表示位置および表示形式と対応付ける入出力データテーブルと、願書上における必要となるその他の定形表示内容とをレイアウト情報として学校から受け付けるステップと、受け付けた学校毎のレイアウト情報を願書情報格納部に格納するステップと、願書情報格納部に格納されている願書情報を出願人に選択させて閲覧させ、願書中に配置されたデータ項目中に必要となる出願情報の入力を出願人から受け付けるとともに、受け付けた出願情報を個人情報データベース中の該当するデータ項目に格納するステップと、出願人から受け付けた出願情報を出願情報格納部に格納するステップと、出願人から受け付けた出願情報を該当する学校に通知するステップとを含むオンライン出願受付方法をコンピュータに実行させるためのプログラムである。
【００３４】
この場合、学校毎に独自の願書フォーマットを作成できるようにし、たとえば、書面による願書とほぼ同一の構成でなる願書をオンライン出願受付方法を実現できる。
【発明の効果】
【００３５】
本発明によれば、学校毎に独自の願書フォーマットを作成することができ、学校側における出願情報の管理処理が簡単になるとともに、出願人においてデータ入力作業が簡素化される。
【発明を実施するための最良の形態】
【００３６】
〈オンライン出願の流れ〉
本発明に係るオンライン出願システム（以下、ネット出願システムと称す）を用いた場合の処理の流れを図１に基づいて説明する。
【００３７】
ネット出願システム１は、インターネットなどのネットワークを介して、各学校２のコンピュータおよび進学希望者３が利用するコンピュータなどと接続可能なWebサーバを備えている。
【００３８】
ネット出願システム１では、学校２側から送信される募集要項などの入試情報を受け付けるとともに、学校２に対して任意の書式での願書作成を可能にする学校情報入力システムを提供している。
【００３９】
学校２では、ネット出願システム１のサーバにアクセスして、提供されている学校情報入力システムを通じて入試情報の登録を行うとともに、独自のフォーマットでの願書を作成して願書情報を登録する（図１(i)）。
【００４０】
ネット出願システム１は、進学希望者３に対して、ネットワークを介して各学校の入試情報を閲覧させるとともに、学校２から登録された願書フォーマットを表示して出願を受け付けるシステムを提供している。進学希望者３からネット出願システム１へのアクセスがあり、登録されている学校の入試情報の閲覧要求があれば、ネット出願システム１は該当する学校の入試情報を進学希望者３に対して閲覧させるとともに、登録されている願書フォーマットを表示する（図１(ii)）。
【００４１】
進学希望者３は、参照した学校の入試情報に基づいて出願を希望する場合には、ネット出願システム１より提示される願書フォーマットを用いて、必要事項のデータ入力を行い、受験料の決済方法を選択する（図１(iii)）。ここで進学希望者３がネット上での決済を選択した場合には、クレジットカード番号やその他の金融機関等の決済情報を入力させるように構成できる。このとき、ネット出願システム１を利用して出願を行った進学希望者３に対して、受験料の割引を行うように構成することができ、この場合、決済される受験料は書面による出願を行った場合の受験料よりも割り引いた金額となる。
【００４２】
ネット出願システム１では、進学希望者３から出願に関するデータ入力および受験料の決済があった場合に、その出願情報を学校２に通知する（図１(iv)）。このとき、各学校２により設定された独自のフォーマットに合わせた出力形式によるデータを送信することにより、学校２側での事務処理が簡素化することとなる。
【００４３】
学校２では、ネット出願システム１から願書情報を受け取った進学希望者３に対して受験票を発行し、これを送付する（図１(v)）。この場合、進学希望者３に対して発行した受験票を郵送により送付するように構成できる。
【００４４】
ネット出願システム１では、進学希望者３から決済された受験料について、月毎に一括して処理を行い、学校２側への支払いを行う（図１(vi)）。たとえば、進学希望者３が決済を行った出願情報について各月毎に月末で締めて、翌月に一括して各学校２へ受験料の支払いを行うように構成できる。この場合、ネット出願システム１側における手数料を差し引いて、学校２側が指定する金融機関の口座などへ振り込みを行うように構成できる。
【００４５】
本発明に係るオンライン出願システムではこのような構成とすることにより、各学校毎の個別の願書フォーマットに合わせた入力フォームと出力データを提供することが可能となり、学校側の事務処理を簡素化することができる。また、出力形式やレイアウトの異なる願書に対する進学希望者のデータを共通化することが可能となり、複数の学校に対して出願を行う進学希望者に対して、データ入力の手間を軽減することができる。
〈システム構成〉
ネット出願システム１の概略構成を図２に示す。
【００４６】
ネット出願システム１は、ネット出願Webシステム11と、学校情報入力Webシステム12とを備えている。
【００４７】
ネット出願Webシステム11は、各学校の募集要項などの入試情報を進学希望者に閲覧させ、受験を希望する者に対しては願書提出を受け付けるためのWebページを提供する。
【００４８】
このネット出願Webシステム11では、システム利用者（進学希望者）に対して会員登録を行わせ、登録された会員に対してシステムを利用させるような構成とすることができる。会員登録を行った進学希望者の個人情報は、会員情報データベース13中に格納されて管理され、会員がオンラインでの願書提出を希望する際に、データの共用を行うように構成される。
【００４９】
学校情報入力Webシステム12は、学校２に対して募集要項などの入試情報の入力、独自のフォーマットによる願書情報の作成をサポートするものである。願書情報の作成に関しては、願書のレイアウトに必要なデータ項目と、そのデータ項目に対応して表示される項目名および表示形式などの願書情報を学校２から受け付け、この願書情報を願書・決済種別情報データベース14に格納する。願書情報の作成時には、学校２側で推奨する決済種別および決済のための金融機関の口座番号等の決済に必要となる決済種別情報についても、学校２側からの入力を受け付け、願書・決済種別情報データベース14中に格納する。
【００５０】
ネット出願Webシステム11では、進学希望者３の要求に応じて、願書・決済種別情報データベース14中に格納された入試情報を閲覧させ、受験を希望する進学希望者の個人情報および出願時に必要となる出願情報を受け付けて、出願情報データベース15に格納する。このとき、受験料の決済を行った進学希望者の決済情報についても、出願情報データベース15に格納される。
【００５１】
ネット出願Webシステム11によって受け付けられた出願情報は、進学希望者による決済が完了次第、該当する学校２に通知される。このとき、学校２側が設定した学校毎の独自のデータ形式により出願情報を送信する。
〈学校情報入力Webシステム〉
学校情報入力Webシステム12では、募集要項などの入試情報のデータ入力および願書レイアウトの作成ツールをサポートしており、この処理について図３のフローチャートに基づいて説明する。
【００５２】
ステップS11では、ネット出願システム１は、学校２側からのアクセスがあったか否かを判別する。図２に示すように、このネット出願システム１と提携している大学、短大、専門学校などの各学校２のコンピュータからインターネットを介して学校情報入力Webシステム12にアクセスすることが可能となっている。ネット出願システム１が、提携している学校２から学校情報入力Webシステム12にアクセスがあったと判断した場合には、ステップS12に移行する。
【００５３】
ステップS12では、ネット出願システム１は、学校２側から入試情報の入力／修正の要求があったか否かを判別する。たとえば、学校２側からのアクセス要求に応じて、学校情報入力Webシステム12は、図６に示すような学校情報入力メニュー画面100を学校２の端末に送出する。この学校情報入力メニュー画面100は、情報入力・訂正関連の第１操作ボタン表示部101、その他の管理項目を選択するための第２操作ボタン表示部102、前のページに戻るための「戻る」ボタン103とを備えており、第１操作ボタン101中に入試情報入力ボタン104が設けられている。ここで、学校２側の端末オペレータが入試情報入力ボタン104を操作した場合、ネット出願システム１は、端末の要求が入試情報の入力／修正の要求であると判断してステップS13に移行する。学校２の端末オペレータが、学校情報入力メニュー画面100の他の操作ボタンを操作した場合には、ネット出願システム１は、端末の要求が入試情報の入力／修正の要求でないと判断してステップS22に移行する。
【００５４】
ステップS13では、ネット出願システム１は、学校２側からの入試情報の受付処理を実行する。たとえば、学校情報入力Webシステム12は、学校２の端末から入試情報入力指示を受け付けて、図７に示すような入試情報一覧画面120を表示する。この入試情報一覧画面120は、既に入力されている入試情報が存在する場合には、その入試情報の概要一覧を表示する一覧表示部121、新規入力のための新規入力ボタン122、前のページに戻るための「戻る」ボタン123とを備えている。一覧表示部121は、たとえば、推薦入試か一般入試かの試験種別を示す試験種別欄、学部・学科を示す対象学部・学科表示欄、試験名表示欄、入試日を表示する入試日表示欄、公開状況を示す公開状況欄などで構成することができる。図７では、既に入力された入試情報がない場合を示している。
【００５５】
学校２の端末オペレータにより、入試情報一覧画面120の新規入力ボタン122が操作された場合、図８に示すような入試情報入力画面140を学校２の端末に送信する。この入試情報入力画面140は、入試情報の詳細な設定を行うための入力画面であり、一般入試か推薦入試かの試験種別を設定するための試験種別欄、一般試験とセンター試験の試験方法を設定するための試験方法欄、試験名欄、出願期間を設定するための出願期間欄、対象学部・学科を設定するための対象学部・学科設定欄、除外学部・学科を設定するための除外学部・学科設定欄、専攻メモ欄、試験日欄、発表日欄、手続締切日欄、入試メモ欄などの各入力ボックスを備えたデータ入力部141、登録指示を受け付けるための登録ボタン142、前のページに戻るための「戻る」ボタン143が設けられている。入試情報入力画面140のデータ入力部141は、それぞれの欄が各入力ボックスがラジオボタン、ポップアップ（プルダウン）メニュー、テキスト入力ボックスなどで構成されており、学校２の端末オペレータが適宜入力することが可能となっている。入試情報一覧画面120において、一覧表示部121に既に入力された入試情報が表示されているような場合には、この一覧表示部121の入試情報を選択することにより、既に入力された情報が各欄に配置されている入試情報入力画面140を表示して、各欄の設定データの変更を可能にすることができる。
【００５６】
ステップS14では、ネット出願システム１は、ステップS13で受け付けた入試情報を願書・決済種別情報データベース14に登録する。たとえば、学校２の端末オペレータにより入試情報入力画面140の登録ボタン142が操作された場合、ネット出願システム１は、入力情報入力画面140で指定された入試情報について、願書・決済種別情報データベース14に格納する。
【００５７】
ステップS15では、ネット出願システム１は、学校２の端末から願書登録に関する指示があったか否かを判別する。たとえば、学校情報入力メニュー画面100、入試情報一覧画面120、入試情報入力画面140などの画面上に願書作成ボタン（図示せず）を設けておき、学校２の端末オペレータによりこの願書作成ボタンが操作された場合に、ネット出願システム１は、願書登録に関する指示があったと判断してステップS16に移行する。
【００５８】
ステップS16では、ネット出願システム１は、学校２の端末に対して願書作成ツールを提供し、願書レイアウトの作成サポート処理を実行する。たとえば、学校情報入力Webシステム12は、願書作成に必要なテキスト入力用ボタン、図形入力用ボタン、データ項目呼出用ボタン、その他のツールボタンまたはこれらツールボタンを備えたツールバーを願書作成用画面上に配置し、願書レイアウトに関する願書データの受付を行う。このような願書作成画面で作成された願書レイアウトの一例を図９に示す。
【００５９】
図９に示す願書表示画面160は、タイトルや出願人の宣誓などの基本情報を表示する基本情報表示部161、受験する学部・学科や試験日時などに関する情報を表示する試験情報表示部162、進学希望者の個人情報を表示するための個人情報表示部163などを備えている。基本情報表示部161では、Webページ上で表示されるシステムの注意事項または学校２の端末に送信されるデータファイルに記載された注意事項に同意する旨の進学希望者の宣誓事項などの基本情報が表示される。この基本情報は、学校２の端末オペレータがテキスト入力を行って作成するように構成することも可能であり、学校情報入力Webシステム12側において予め設定された定型文を用意しておき、学校２の端末オペレータに選択させるように構成することも可能である。
【００６０】
試験情報表示部162は、進学希望者が受験を希望する学部・学科や試験日の情報などを表示するものであり、たとえば、学部・学科欄をプルダウンメニュー（ポップアップメニュー）で構成し、進学希望者がこの学部・学科欄を選択すれば、願書・決済種別情報データベース14に格納されている入試情報から該当するデータを抽出し、試験日欄や試験種別欄、その他のレイアウトに配置されたデータ項目中に表示するように構成することが可能である。
【００６１】
個人情報表示部163では、会員情報データベース13に格納されている個人情報テーブルの各データ項目を呼び出して配置するように構成されている。個人情報テーブルは、たとえば、図10に示すような個人基本情報テーブル、図11に示すような個人住所連絡先情報テーブル、図12に示すような個人学校情報テーブルなどで構成されている。個人基本情報テーブルは、ネット出願システム１が進学希望者に対して付したユニークな番号で構成される個人Noコード、本人か否かの区分情報、姓名漢字<1>、名前漢字<2>、姓名かな<3>、名前かな<4>、生年月日<5>、性別<6>、職業／学校区分コード<7>、学年<8>、備考<9>、・・・などのデータ項目で構成されている。
【００６２】
また、個人住所連絡先テーブルは、個人の連絡先に設定されている個人住所No、対応する個人Noコード、現住所か否かの住所区分、郵便番号前３桁<20>、郵便番号後４桁<21>、都道府県コード<22>、市区町村郡<23>、町域<24>、番地<25>、アパート名等<26>、屋号・会社名・部署名等<27>、国コード<28>、電話番号１<29>、電話番号２<30>、電話番号３<31>、携帯電話番号１<32>、携帯電話番号２<33>、携帯電話番号３<34>、Eメールアドレス<35>、携帯メールアドレス<36>、備考<37>、・・・などのデータ項目で構成されている。
【００６３】
さらに、個人学校情報テーブルは、個人学校Noコード、対応する個人Noコード、最終学歴か否かを表す区分情報、学校区分を示す区分情報、センター試験学校コードまたは学校システムコード<50>、学校所在地：都道府県コード<51>、設立コード<52>、学校名<53>、学科名<54>、入学年<55>、卒業年または卒業予定年<56>、備考<57>、・・・などのデータ項目で構成されている。
【００６４】
個人情報テーブルの各データ項目には、図10〜図12に示すように、それぞれ項目番号が付されており、願書レイアウト上の表示番号と各項目番号を対応させることにより、そのデータ項目を呼び出して配置することができる。たとえば、図９に示す願書表示画面160の個人情報表示部163においては、データ項目を呼び出すための表示位置１〜11が設定されており、各表示位置１〜11に対してそれぞれ個人情報テーブル中のデータ項目である姓名かな<3>、名前かな<4>、姓名漢字<1>、名前漢字<2>、郵便番号前３桁<20>、郵便番号後４桁<21>、都道府県コード<22>、生年月日<5>、性別<6>、職業／学校区分コード<7>、学年<8>を割り当てるものとする。このような願書レイアウト上の表示番号と項目番号との対応を図13の入出力マッチングデータテーブルとして示す。
【００６５】
図13の上部に示すような学校No100001の入出力マッチングデータによれば、願書レイアウトの表示番号１〜11には、図14に示すように各項目番号のデータ項目が配置されることとなる。
【００６６】
また、図13の下部に示すような学校No100002の入出力マッチングデータによれば、願書レイアウトの表示番号１〜11には、図15に示すように各項目番号のデータ項目が配置されることとなる。
【００６７】
入出力マッチングデータテーブルでは、データを表示する際の表示形式に関して設定することが可能であり、日付データの和暦・西暦の区分、平仮名・カタカナの表示区分、性別などの表記方法、その表示形式について設定することが可能である。たとえば、個人情報テーブルに格納されている個人基本情報テーブルおよび個人住所連絡先情報テーブルが、図16、図17に示すようなデータを格納している場合、学校No100001および学校No100002の学校の願書に表示される個人Noコード10000001の「山田太郎」さんのデータは、それぞれ図18および図19に示すような表示形式となる。
【００６８】
図13に示すように、学校No100001の入出力マッチングデータテーブルでは、表示番号１〜２に配置されている項目番号３〜４（姓名かな、名前かな）の表示形式はそれぞれ"1"に設定されており、この場合には平仮名表記を行うように構成している。これに対して、学校No100002の表示番号３〜４に配置されている項目番号３〜４（姓名かな、名前かな）の表示形式はそれぞれ"0"に設定されており、この場合にはカタカナ表記を行うように設定されている。同様にして、項目番号５（生年月日）の表示形式が"0"の場合には和暦表記を行い、表示形式が"1"の場合には西暦表記を行い、項目番号６（性別）の表示形式が"0"の場合には日本語表記を行い、表示形式が"1"の場合には英語頭文字での表記とすることができる。これらの表示形式については、図10〜図12に示す個人情報テーブル中のデータ形式で指定された各データ項目のデータ形式と、図13の入出力マッチングデータテーブル中の表示形式で指定された表示形式とで決定することができ、学校２の端末オペレータが任意に設定することが可能である。
【００６９】
ステップS17では、ネット出願システム１は、願書作成ツールを用いて作成された願書データを受け付ける。学校２の端末オペレータが、願書作成ツールを用いて作成した願書データの登録要求を行った場合、ネット出願システム１はこの願書データを受け付ける。
【００７０】
ステップS18では、ネット出願システム１は、学校２の端末から送信されてきた願書データを受信して願書・決済種別情報データベース14に格納する。
【００７１】
ステップS19では、ネット出願システム１は、学校２の端末から決済種別情報の登録が指示されたか否かを判別する。ネット出願システム１が、学校２の端末から決済種別情報の登録が指示されたと判断した場合にはステップS20に移行し、そうでない場合にはステップS22に移行する。
【００７２】
ステップS20では、ネット出願システム１は、学校２の端末オペレータが入力する決済方法や指定口座番号などの決済種別情報の入力を受け付ける。
【００７３】
ステップS21では、ネット出願システム１は、学校２の端末から送信されてきる決済方法や指定口座番号などの決済種別情報を願書・決済種別情報データベース14に格納する。
【００７４】
ステップS22では、ネット出願システム１は他の処理を実行する。
〈ネット出願Webシステム〉
ネット出願Webシステム11では、願書・決済種別情報データベース14に格納されている各学校２の入試情報をインターネットを通じて任意の進学希望者３に対して公開している。このようなネット出願Webシステム11に対して進学希望者３からのアクセスがあった場合の処理を図４のフローチャートに基づいて説明する。ここでは、会員登録を行った進学希望者にのみこのネット出願Webシステム11の利用を許可するように構成しているが、募集要項などの入試情報の参照については、会員登録をしていない者に対しても公開するように構成することができる。
【００７５】
ステップS31では、ネット出願システム１は、進学希望者３からのアクセスがあったか否かを判別する。ネット出願システム１は、進学希望者３の端末からアクセス要求があったと判断した場合にはステップS32に移行する。
【００７６】
ステップS32では、ネット出願システム１は、アクセスがあった進学希望者３が会員であるか否かを判別する。たとえば、ネット出願システム１は、ユーザIDおよびパスワードを入力する入力ボックスと、ログインボタンおよび新規会員登録ボタンなどを配置したトップページを進学希望者３の端末に対して送信し、入力されたユーザIDおよびパスワードの認証が成功した場合には、この進学希望者３が会員であると判断してステップS35に移行し、認証に失敗した場合または新規会員登録ボタンが操作された場合にはステップS33に移行する。
【００７７】
ステップS33では、ネット出願システム１は、会員登録を行うためのWebページを進学希望者３の端末に送信し、個人情報の入力を受け付ける。たとえば、ネット出願システム１は、図20〜図22に示すような個人情報入力画面を進学希望者３の端末に送信して、個人情報の入力を受け付ける。図20の個人情報入力画面180A、図21の個人情報入力画面180B、図22の個人情報入力画面180Cは、スクロールさせることが可能な１つの画面で構成されており、適宜の位置でスクロールを止めて表示させた例を示している。
【００７８】
個人情報入力画面180Aは、ログイン名（ユーザID）、パスワードを設定するためのパスワード入力部181、氏名入力部182、性別入力部183、生年月日入力部184を含んでいる。パスワード入力部181は、進学希望者３が端末から任意のログイン名およびパスワードを入力することが可能に構成されているが、ネット出願システム１がデフォルトでユニークなログイン名、パスワードを設定するように構成することも可能である。
【００７９】
個人情報入力画面180Bは、住所入力部185、連絡先入力部186、職業入力部187などを含んでいる。
【００８０】
個人情報入力画面180Cは、学校情報入力部188、勤務先情報入力部189、保護者情報入力部190などを含んでいる。
【００８１】
ステップS34では、ネット出願システム１は進学希望者３より入力された個人情報を会員情報データベース13に格納する。前述した図20〜22の各個人情報の入力部は、図10〜図12に示す個人情報テーブルの各データ項目に対応しており、各データ項目に入力された個人情報に基づいて図16〜図17に示すような個人情報が会員情報データベース13に格納されることとなる。
【００８２】
ステップS35では、ネット出願システム１は進学希望者３からのログインを受け付ける。進学希望者３が端末上に表示されるトップページからログインボタンを操作した場合には、ネット出願システム１は、ログイン名とパスワードの認証を行い、成功した場合には会員専用のページを端末に送信する。
【００８３】
ステップS36〜ステップS41では、ネット出願システム１は、進学希望者３の端末上に表示される画面からの操作に基づいて、対応する処理を実行する。
【００８４】
ステップS36では、ネット出願システム１は、進学希望者３の指示に基づいて学校検索処理を実行する。たとえば、ネット出願システム１は、図23〜図24に示すような入試情報検索画面200A,200Bを進学希望者３の端末に送信し、各検索項目への入力を受け付ける。入試情報検索画面200A,200Bはスクロールさせることが可能な１つの画面で構成されており、それぞれ適宜の位置で止めてモニタ上に表示させた場合の例を示している。
【００８５】
入試情報検索画面200A,200Bには、受付期間入力部201、入試日程入力部202、入試方法入力部203、学校キーワード入力部204、学部・学科キーワード入力部205、所在地入力部206、昼間・夜間入力部207および検索ボタン208が配置されている。進学希望者３が端末に表示される入試情報検索画面200A,200B上で、各検索項目への入力を行って検索ボタン208を操作すると、これらの検索項目上のデータがネット出願システム１に送信される。ネット出願システム１は、進学希望者３の端末から送信されてくる検索項目上のデータに基づいて願書・決済種別情報データベース14中の入試情報を検索し、該当する学校情報を一覧表示する。ネット出願システム１は、たとえば、図25〜図26に示すような入試情報検索結果画面220A,220Bを進学希望者３の端末に送信する。入試情報検索結果画面220A,220Bはスクロール可能な１つの画面で構成されており、それぞれ適宜の位置で止めてモニタ上に表示させた場合の例を示している。
【００８６】
入試情報検索結果画面220A,220Bは、検索キーワード表示部221、結果一覧表示部222、入試情報詳細表示部223などを備えている。この入試情報検索結果画面220A,220Bのレイアウトは任意の構成が可能であり、図示したように、検索キーワード表示部221、結果一覧表示部222、入試情報詳細表示部223を一体に備える構成とすることも可能であり、また、検索キーワード表示部221、結果一覧表示部222を一体に備える画面を構成し、結果一覧表示部222に表示される学校を指示することにより別のウィンドウを開いて入試情報詳細表示を行うように構成することも可能である。
【００８７】
ステップS37では、ネット出願システム１は、進学希望者３の端末から指示される学部・学科の選択要求を受け付ける。たとえば、進学希望者３が端末に表示されている入試情報検索結果画面220A,220Bの入試情報詳細表示部223から学部・学科を選択指示した場合、選択された学校の該当する学部・学科の指示データを受け付ける。
【００８８】
ステップS38では、ネット出願システム１は、進学希望者３の端末から指示された学校、学部・学科のデータに基づいて、願書・決済種別情報データベース14から該当する願書データを呼び出し、その願書フォーマットを進学希望者３の端末に送信する。願書フォーマットは、たとえば、図９に示す願書表示画面160のように構成することが可能である。
【００８９】
願書表示画面160は、学校情報入力Webシステム12を利用して学校２の端末オペレータが設定したものであり、進学希望者３が選択した学校、学部・学科情報に基づいて、願書・決済種別情報データベース14から該当するものが呼び出されて、進学希望者３の端末に送信される。願書表示画面160の基本情報表示部161では、予め学校側から設定された情報が表示され、進学希望者３が学部・学科の選択をしている場合には、試験情報表示部162には進学希望者３により選択指示された学部・学科情報に基づいたデータが願書・決済種別情報データベース14から呼び出されて該当する表示欄に表示される。さらに、進学希望者３のログイン名に基づいて、会員情報データベース13中の該当する個人情報が呼び出されて、個人情報表示部163に表示される。試験情報表示部162の学部・学科欄をプルダウンメニュー（ポップアップメニュー）で構成した場合には、この願書表示画面160へのデータ入力中に学部・学科を変更することが可能にすることができる。また、個人情報表示部163では、各欄の表示内容を変更することが可能な構成とすることも可能であり、この場合、会員情報登録時の個人情報に変更が生じているときに対応することが可能となる。また、会員情報データベース13中に含まれないデータ項目が願書中にある場合には、願書表示画面160中に設けられた入力ボックス中に入力を行うか、別途書面を郵送するなどの手続きを進学希望者３に指示する。たとえば、受験票に貼付する顔写真を求めるような場合には、進学希望者３の顔写真の画像データを出願情報に添付するように指示したり、別途郵送するように指示することができる。
【００９０】
このような構成とした場合、既に会員登録時に個人情報の入力が完了している進学希望者３にとって、学校および学部・学科を選択するだけで願書中へのデータ入力がほとんど必要なく、入力の手間を省くことが可能である。また、複数の学校または同一の学校であっても複数の学部・学科の受験が可能な場合に、個人情報をその度に入力する必要がなく、異なる表示形式のデータ項目についても意識することなく入力が容易になる。
【００９１】
ステップS39では、ネット出願システム１は、進学希望者３が端末から入力した出願情報を受け付ける。進学希望者３が端末に表示されている願書表示画面160上の各データを確認して、画面上に設けられた確定ボタン（図示せず）を操作した場合、入力された出願データを受信して、願書情報データベース15に格納する。
【００９２】
ステップS40では、ネット出願システム１は、進学希望者３が端末から指示した決済情報についてこれを受け付ける。たとえば、学校側で指定した口座名、進学希望者３のクレジットカード番号などの決済情報を受け付ける。
【００９３】
ステップS41では、ネット出願システム１は、進学希望者３から入力された出願情報と決済情報とを出願情報データベース15に格納する。
【００９４】
願書・決済種別情報データベース14には、図27に示すように、各学校の学校Noコードを学校名と対応させた学校テーブルを備えており、各学校の学部・学科、試験区分毎に入試番号が設定された入試番号テーブル（図示せず）を備えている。進学希望者３から入力された出願情報に基づいて、図28に示すような個人Noコードと学校Noおよび入試番号とを対応させた出願基本データが作成され、出願情報データベース15に格納される。
〈決済処理〉
ネット出願システム１では、進学希望者３からの決済を受け付けて決済処理を行うように構成できる。このような場合について、図５のフローチャートに基づいて説明する。
【００９５】
ステップS51では、ネット出願システム１は、進学希望者３からの決済が完了した出願データがあるか否かを判別する。進学希望者３からの決済が完了した場合、ステップS52に移行して、出願情報データベース15中の該当する出願データに決済完了した旨のフラグをたてるとともに、該当する学校に出願情報の通知を行う。
【００９６】
ステップS53では、ネット出願システム１は、所定の締め日となったか否かを判別する。たとえば、月末を締め日として設定しているような場合、月の末日にネット出願システム１は、ステップS54に移行して一括振り込み処理を実行する。
【００９７】
ステップS51〜ステップS52を省略して、進学希望者３からの出願情報を受け付けた段階で、該当する学校２への出願情報の通知を行うように構成することも可能である。
このようにしたネット出願システム１から出願情報の通知を受けた学校２側では、該当する出願情報および顔写真の画像データなどをネット出願システム１の出願情報データベース15からダウンロードする。学校２では、このダウンロードした出願情報に基づいて、受験票を発行して該当する進学希望者３に発送する。また、受験料については、ネット出願システム１からの決済処理に基づいて一括振り込みされる受験料を受け取る。
【産業上の利用可能性】
【００９８】
本発明によれば、各学校に対して願書作成ツールを提供することにより、各学校独自の願書フォーマットを作成させることが可能となり、学校側の事務処理を軽減することが可能となる。また、学校毎に項目名が異なっているデータ項目や表示形式が異なるデータ項目についてもデータを共有することが可能であるため、複数の学校、複数の学部・学科に対して願書を提出する進学希望者のデータ入力の手間を軽減できる。
【００９９】
さらに、このようなネット出願システムを用いて出願を行った場合に、受験料を割り引くような割引システムを設けることで、各学校の受験者数を増加して学校のレベルを向上させることが可能となる。
【図面の簡単な説明】
【０１００】
【図１】本発明の処理の概要を示す説明図。
【図２】本発明の概要構成図。
【図３】学校情報入力処理のフローチャート。
【図４】出願処理のフローチャート。
【図５】決済処理のフローチャート。
【図６】学校情報入力メニューの説明図。
【図７】入試情報一覧画面の説明図。
【図８】入試情報入力画面の説明図。
【図９】願書表示画面の説明図。
【図１０】個人基本情報テーブルの説明図。
【図１１】個人住所連絡先情報テーブルの説明図。
【図１２】個人学校情報テーブルの説明図。
【図１３】入出力マッチングデータテーブルの説明図。
【図１４】願書レイアウトの一例を示す説明図。
【図１５】願書レイアウトの一例を示す説明図。
【図１６】個人基本情報テーブルのデータ例を示す説明図。
【図１７】個人住所連絡先情報テーブルのデータ例を示す説明図。
【図１８】画面表示例を示す説明図。
【図１９】画面表示例を示す説明図。
【図２０】個人情報入力画面の説明図。
【図２１】個人情報入力画面の説明図。
【図２２】個人情報入力画面の説明図。
【図２３】入試情報検索画面の説明図。
【図２４】入試情報検索画面の説明図。
【図２５】入試情報検索結果画面の説明図。
【図２６】入試情報検索結果画面の説明図。
【図２７】学校テーブルの説明図。
【図２８】出願基本データテーブルの説明図。
【図１】
2005189924.tif 000003
【図２】
2005189924.tif 000004
【図３】
2005189924.tif 000005
【図４】
2005189924.tif 000006
【図５】
2005189924.tif 000007
【図６】
2005189924.tif 000008
【図７】
2005189924.tif 000009
【図８】
2005189924.tif 000010
【図９】
2005189924.tif 000011
【図１０】
2005189924.tif 000012
【図１１】
2005189924.tif 000013
【図１２】
2005189924.tif 000014
【図１３】
2005189924.tif 000015
【図１４】
2005189924.tif 000016
【図１５】
2005189924.tif 000017
【図１６】
2005189924.tif 000018
【図１７】
2005189924.tif 000019
【図１８】
2005189924.tif 000020
【図１９】
2005189924.tif 000021
【図２０】
2005189924.tif 000022
【図２１】
2005189924.tif 000023
【図２２】
2005189924.tif 000024
【図２３】
2005189924.tif 000025
【図２４】
2005189924.tif 000026
【図２５】
2005189924.tif 000027
【図２６】
2005189924.tif 000028
【図２７】
2005189924.tif 000029
【図２８】
2005189924.tif 000030